(57)【要約】【課題】ピックアップ装置のハウジング等から生じる共振などの振動を抑える。【解決手段】ピックアップ装置１０において、ハウジング３０と、ハウジング３０に取り付けられるレンズ２０とを備え、ハウジング３０は、レンズ２０を支える第一支持部４１と、レンズ２０を支える第二支持部４２と、第一支持部４１に続く第一隔壁５１と、第二支持部４２に続く第二隔壁５２と、第一隔壁５１と第二隔壁５２とを繋ぐ連結部６０とを有する。第一支持部４１と、第二支持部４２と、連結部６０とに紫外線硬化型接着剤９１，９２，９３が塗布されて、ハウジング３０にレンズ２０が固定される。レンズ２０と連結部６０とに接着剤９３を塗布させ易くする突出部６３が、連結部６０に設けられた。ハウジング３０の強度の向上が図られ、ピックアップ装置１０に生じる共振問題が解決される。ピックアップ装置１０が正常に作動しないという不具合の発生が回避される。【選択図】図１
2006302334.tif 000002
【特許請求の範囲】
【請求項１】
ハウジングと、
該ハウジングに取り付けられるレンズと
を備え、
該ハウジングは、
該レンズを支える第一支持部と、
該レンズを支える第二支持部と、
該第一支持部に続く第一隔壁と、
該第二支持部に続く第二隔壁と、
該第一隔壁と該第二隔壁とを繋ぐ連結部と
を有することを特徴とするピックアップ装置。
【請求項２】
前記ハウジングに前記レンズが固定されるときに、該ハウジングに該レンズを固着させる接着剤が用いられたことを特徴とする請求項１記載のピックアップ装置。
【請求項３】
前記ハウジングおよび前記レンズに接着剤が三箇所塗布されて、該ハウジングに該レンズが固定されたことを特徴とする請求項１又は２記載のピックアップ装置。
【請求項４】
前記第一支持部と、前記第二支持部と、前記連結部とに接着剤が塗布されて、前記ハウジングに前記レンズが固定されたことを特徴とする請求項１〜３の何れか１項に記載のピックアップ装置。
【請求項５】
前記レンズと前記連結部とに接着剤を塗布させ易くする突出部が、該連結部に設けられたことを特徴とする請求項１〜４の何れか１項に記載のピックアップ装置。
【請求項６】
前記突出部に対応した切欠き部が、前記レンズに設けられたことを特徴とする請求項５に記載のピックアップ装置。
【請求項７】
前記接着剤は、前記突出部の先端面部と、前記切欠き部を形成する平面部とに塗布されたことを特徴とする請求項６に記載のピックアップ装置。
【請求項８】
前記ハウジングに前記レンズが装備されるときに、
該ハウジングの前記連結部に突設された前記突出部の先端面部が、該レンズの切欠き部の略中央部に位置する状態で、該ハウジングに該レンズが備えられたことを特徴とする請求項５〜７の何れか１項に記載のピックアップ装置。
【請求項９】
前記ハウジングの前記第一支持部は、前記レンズの幅よりも広い幅の傾斜面部を備え、
該ハウジングの前記第二支持部は、該レンズの幅よりも広い幅の傾斜面部を備え、
該レンズは、レンズ曲面部の周縁部に平面部を備え、
該第一支持部の該傾斜面部と、該レンズの該平面部とに、該レンズを該ハウジングに固着させる接着剤が塗布され、
該第二支持部の該傾斜面部と、該レンズの該平面部とに、該レンズを該ハウジングに固着させる接着剤が塗布されたことを特徴とする請求項１〜８の何れか１項に記載のピックアップ装置。
【請求項１０】
前記ハウジングに前記レンズを固着させる接着剤が用いられ、該接着剤として、紫外線が照射されることで硬化する紫外線硬化型接着剤が用いられたことを特徴とする請求項１〜９の何れか１項に記載のピックアップ装置。
【請求項１１】
前記ハウジングに対して前記レンズを精度よく装備可能とさせる位置決め部が、該ハウジングに設けられたことを特徴とする請求項１〜１０の何れか１項に記載のピックアップ装置。
【請求項１２】
前記位置決め部は、前記第一隔壁および前記第二隔壁から突設された突出部として形成されたことを特徴とする請求項１１に記載のピックアップ装置。
【請求項１３】
前記ハウジングに対し前記レンズの取付位置を定めるための基準面が、前記位置決め部に設けられ、該基準面に対応した平面部が該レンズの曲面部の周縁部に設けられ、該ハウジングに設けられた該位置決め部の該基準面に、該レンズの該平面部が当接されて、該ハウジングに該レンズが取り付けられたことを特徴とする請求項１１又は１２に記載のピックアップ装置。
【請求項１４】
前記レンズとして、入射した光を平行光にして出射するコリメータレンズが用いられたことを特徴とする請求項１〜１３の何れか１項に記載のピックアップ装置。
【請求項１５】
持運びが容易なコンピュータのディスク装置に装備可能とされたことを特徴とする請求項１〜１４の何れか１項に記載のピックアップ装置。
【発明の詳細な説明】
【技術分野】
【０００１】
本発明は、例えばディスク装置に装備され、ディスクなどのメディアの情報を読み取ることが可能なピックアップ装置に関するものである。
【背景技術】
【０００２】
図３は、従来のピックアップ装置の一形態を示す斜視図である。
【０００３】
ハウジング５３０のレンズ取付部５３５に、コリメータレンズ５２０が装備される。ダイカスト製ハウジング５３０の一対の底面側傾斜部５４１，５４２と、左右二本のレール面５５１，５５２の上部とに、接着剤５９１，５９２，５９３，５９４が塗布される。接着剤５９１，５９２，５９３，５９４は、コリメータレンズ５２０の周縁部５２９の合計四箇所に塗布される。このようにして、コリメータレンズ５２０は、ハウジング５３０に接着固定されていた。
【０００４】
また、ハウジング５３０のアクチュエータ装着部５８０に、アクチュエータ（図示せず）が装備される。アクチュエータとは、油圧やモータなどにより、エネルギーを並進運動または回転運動などの動作に変換させる駆動装置を意味する。ハウジング５３０の周壁５３２に設けられた支持部５８１，５８２に、不図示のアクチュエータのフレームが装着される。不図示のアクチュエータは、光ディスク（図示せず）に対し対物レンズ（図示せず）の位置を最適な位置に調整させる。
【０００５】
従来の光ピックアップ装置に関するものとして、例えば、コストの安い板金からなるキャリッジを用いて精度良くレンズあるいはビームスプリッタを取付固定した光ピックアップ装置及びその組立て方法というものがある（例えば、特許文献１参照。）。
【０００６】
また、従来の光ピックアップに関するものとして、例えば、光ピックアップのキャリッジにコリメータレンズ等の光学部材を確実に取付け固定させる光ピックアップというものがある（例えば、特許文献２参照。）。
【特許文献１】特開２００１−１４３２９４号公報（第１，４頁、第１図）
【特許文献２】特開２０００−２１５４６６号公報（第１，４頁、第１図）
【発明の開示】
【発明が解決しようとする課題】
【０００７】
しかしながら、図３に示す上記従来の光ピックアップ装置５１０にあっては、レンズ取付部５３５の上部開口部５３６が強度不足となり、共振によってレンズ５２０の取付精度が低下することが心配されていた。ハウジング５３０のレンズ取付部５３５は、上部が開口した形状とされている。そのため、ハウジング５３０のレンズ取付部５３５における上部開口部５３６の強度が不足し、ハウジング５３０に共振が生じたときに、コリメータレンズ５２０も揺れ動き、コリメータレンズ５２０を通り抜ける光路に不具合が生じることが懸念される。
【０００８】
詳しく説明すると、光ピックアップ装置５１０が作動状態とされ、光ピックアップ装置５１０を構成するアクチュエータにより、光ディスクに対し、対物レンズのフォーカシング動作が行われると、これの反作用として、ハウジング５３０の支持部５８１，５８２に装着されたアクチュエータのフレームが揺動する。このようなことが生じると、アクチュエータのフレームを支えるハウジング５３０の支持部５８１，５８２は、開閉方向Ｓ１，Ｓ２に沿って揺動する。フォーカスとは、焦点やピントを意味する。
【０００９】
具体的に説明すると、アクチュエータのフレームの揺動に伴って、アクチュエータのフレームを支えるハウジング５３０の第一支持部５８１は、開閉方向Ｓ１に沿って揺動する。また、そのときに、アクチュエータのフレームを支えるハウジング５３０の第二支持部５８２は、開閉方向Ｓ２に沿って揺動する。
【００１０】
ハウジング５３０の支持部５８１，５８２が開閉方向Ｓ１，Ｓ２に沿って揺動すると、支持部５８１，５８２に続くレール部５５１，５５２も開閉方向Ｓ１，Ｓ２に沿って揺動する。詳しく説明すると、ハウジング５３０の第一支持部５８１が開閉方向Ｓ１に沿って揺動すると、支持部５８１に続く第一レール部５５１も開閉方向Ｓ１に沿って揺動する。また、ハウジング５３０の第二支持部５８２が開閉方向Ｓ２に沿って揺動すると、支持部５８２に続く第二レール部５５２も開閉方向Ｓ２に沿って揺動する。
【００１１】
ハウジング５３０のレンズ取付部５３５は、上部が開口した形状とされているので、レンズ取付部５３５の開口部５３６が開く方向に沿って、レンズ取付部５３５に力が加えられたときに、レンズ取付部５３５の開口部５３６は、強度に弱いことが心配されていた。レンズ取付部５３５の開口部５３６の強度が弱いと、光ピックアップ装置５１０のハウジング５３０に共振が生じた場合、ハウジング５３０のレンズ取付部５３５からコリメータレンズ５２０に振動が伝えられる。コリメータレンズ５２０が揺れ動くと、光ピックアップ装置５１０の光学系の焦点などに不具合が生じる。このことから、光ピックアップ装置５１０が正常に作動しないことが懸念されていた。
【００１２】
また、従来の光ピックアップ装置５１０においては、コリメータレンズ５２０における上部の二箇所の接着剤塗布部５２１，５２２と、コリメータレンズ５２０における下部の二箇所の接着剤塗布部５２６，５２７との合計四箇所に接着剤５９１，５９２，５９３，５９４が塗布されて、ハウジング５３０にコリメータレンズ５２０が固定されていた。コリメータレンズ５２０の上部の外周面部５２１，５２２がコリメータレンズ５２０の上部の接着剤塗布部５２１，５２２とされている。
【００１３】
例えば、コリメータレンズ５２０の上部の各接着剤塗布部５２１，５２２に多くの接着剤５９３，５９４が塗布されたときに、重力により、接着剤５９３，５９４がコリメータレンズ５２０の周縁部５２９から流れ出して、接着剤５９３，５９４がレンズ５２０の曲面部５２５に流れ込むことが懸念されていた。レンズ５２０の曲面部５２５は、レーザ光が透過する重要な部分とされているため、レンズ５２０の曲面部５２５に接着剤５９３，５９４が付着することは、好ましいことではない。このようなものは、光ピックアップ装置５１０の製造工程において接着不良品とされ、光ピックアップ装置５１０の歩留りが低下する原因となっていた。
【００１４】
また、コリメータレンズ５２０の上部の各接着剤塗布部５２１，５２２に塗布された接着剤５９３，５９４は、コリメータレンズ５２０と、ハウジング５３０のレンズ取付部５３５との隙間に流れ込む。コリメータレンズ５２０と、ハウジング５３０のレンズ取付部５３５との隙間に流れ込んだ接着剤５９３，５９４は、コリメータレンズ５２０と、ハウジング５３０のレンズ取付部５３５との隙間内で固化する。
【００１５】
例えば、光ピックアップ装置５１０が使用されているときに、光ピックアップ装置５１０の温度が上昇した場合、コリメータレンズ５２０と、ハウジング５３０のレンズ取付部５３５との隙間に流れ込み固化した接着剤５９３，５９４に熱膨張が発生する。また、光ピックアップ装置５１０の電源が止められ、光ピックアップ装置５１０の温度が常温に戻された場合、熱膨張を起こした前記接着剤５９３，５９４は収縮する。
【００１６】
このように、コリメータレンズ５２０と、ハウジング５３０のレンズ取付部５３５との間に位置する接着剤５９３，５９４が膨張または収縮した場合、ハウジング５３０に取り付けられたコリメータレンズ５２０の取付寸法に狂いが生じる。従って、このような光ピックアップ装置５１０は、接着剤５９３，５９４に生じる膨張収縮により、ハウジング５３０に対するコリメータレンズ５２０の取付寸法精度が低い。
【００１７】
本発明は、上記問題点を解決することにある。本発明は、上記した点に鑑み、ハウジング等から生じる共振などの振動を抑えたピックアップ装置を提供することを目的とする。詳しくは、本発明は、上記した点に鑑み、接着剤によってレンズに悪影響が及ぼされることなく、且つ、ハウジング等から生じる共振などの振動を低減化させたピックアップ装置を提供することを目的とする。
【課題を解決するための手段】
【００１８】
上記目的を達成するために、本発明の請求項１に係るピックアップ装置は、ハウジングと、該ハウジングに取り付けられるレンズとを備え、該ハウジングは、該レンズを支える第一支持部と、該レンズを支える第二支持部と、該第一支持部に続く第一隔壁と、該第二支持部に続く第二隔壁と、該第一隔壁と該第二隔壁とを繋ぐ連結部とを有することを特徴とする。
【００１９】
上記構成により、ハウジングの強度の向上が図られ、ピックアップ装置に生じる共振問題が解決される。ハウジングの第一支持部に続く第一隔壁と、ハウジングの第二支持部に続く第二隔壁とを繋ぐ連結部が設けられているので、ハウジングの強度が向上する。従って、ハウジングなどから生じる振動は、ハウジングの第一隔壁および第二隔壁を繋ぐ連結部により低減化される。これにより、ハウジングの第一隔壁および第二隔壁に生じる共振は抑えられる。ハウジングの第一隔壁および第二隔壁における共振が抑えられるので、ハウジングの第一隔壁に続く第一支持部と、ハウジングの第二隔壁に続く第二支持部とに生じる共振も抑えられる。ハウジングの第一支持部および第二支持部の共振が抑えられるので、レンズは、安定した状態で、ハウジングの第一支持部および第二支持部に支えられる。従って、ハウジングなどに共振が生じ、共振によりハウジングに装着されたレンズの取付状態が不安定となって、レンズを透過する光路に悪影響が及ぼされ、その結果、ピックアップ装置が正常に作動しないという不具合の発生は回避される。
【００２０】
請求項２に係るピックアップ装置は、請求項１記載のピックアップ装置において、前記ハウジングに前記レンズが固定されるときに、該ハウジングに該レンズを固着させる接着剤が用いられたことを特徴とする。
【００２１】
上記構成により、レンズはハウジングに確実に固定される。接着剤が用いられてハウジングにレンズが固着されているので、ハウジングなどに生じた共振により、ハウジングに対しレンズの位置ずれ等が生じるということは回避される。
【００２２】
請求項３に係るピックアップ装置は、請求項１又は２記載のピックアップ装置において、前記ハウジングおよび前記レンズに接着剤が三箇所塗布されて、該ハウジングに該レンズが固定されたことを特徴とする。
【００２３】
上記構成により、レンズはハウジングに安定した状態で固定される。一般に三箇所固定構造のものは、外力などに影響され難い安定した構造のものとされている。ハウジングおよびレンズに接着剤が三箇所塗布されて、ハウジングにレンズが固定されていれば、レンズは安定した状態でハウジングに固定されることとなる。従って、ハウジングなどに共振現象が生じ、ハウジングに対しレンズに位置ずれ等が生じるということは回避される。
【００２４】
請求項４に係るピックアップ装置は、請求項１〜３の何れか１項に記載のピックアップ装置において、前記第一支持部と、前記第二支持部と、前記連結部とに接着剤が塗布されて、前記ハウジングに前記レンズが固定されたことを特徴とする。
【００２５】
上記構成により、レンズはハウジングに安定した状態で確実に装着される。ハウジングの第一支持部と、ハウジングの第二支持部と、ハウジングの連結部とに接着剤が塗布されることにより、レンズは、三箇所の接着剤によってハウジングに固定される。これにより、レンズはハウジングに安定した状態で確実に固定される。従って、ハウジングなどに生じた振動などによりレンズが揺れ動き、ピックアップ装置の光学系に不具合が生じ、その結果、ピックアップ装置が正常に作動しないという不具合の発生は防止される。
【００２６】
請求項５に係るピックアップ装置は、請求項１〜４の何れか１項に記載のピックアップ装置において、前記レンズと前記連結部とに接着剤を塗布させ易くする突出部が、該連結部に設けられたことを特徴とする。
【００２７】
上記構成により、ハウジングの連結部とレンズとに、容易に接着剤が塗布される。ハウジングにレンズが備えられたときに、ハウジングの連結部に設けられた突出部を目標に接着剤を塗布させれば、ハウジングの連結部の突出部と、ハウジングに備えられたレンズとに、容易に接着剤が塗布されることとなる。接着剤の塗布作業が容易となり、これに伴って、例えばレンズの曲面部に不用意に接着剤が塗布されるといった接着不良の発生は低減化する。ハウジングの連結部およびレンズに塗布された接着剤により、レンズはハウジングに確実に固着される。
【００２８】
請求項６に係るピックアップ装置は、請求項５に記載のピックアップ装置において、前記突出部に対応した切欠き部が、前記レンズに設けられたことを特徴とする。
【００２９】
上記構成により、レンズはハウジングに確実に接着される。ハウジングの連結部の突出部に対応した切欠き部が、レンズに設けられているので、ハウジングにレンズを固着させる接着剤は、ハウジングの連結部の突出部と、レンズの切欠き部とに確実に付着する。
【００３０】
請求項７に係るピックアップ装置は、請求項６に記載のピックアップ装置において、前記接着剤は、前記突出部の先端面部と、前記切欠き部を形成する平面部とに塗布されたことを特徴とする。
【００３１】
上記構成により、ハウジングの連結部とレンズとに、容易で確実に接着剤が塗布される。ハウジングの連結部に設けられた突出部の先端面部と、レンズの切欠き部を形成する平面部とに接着剤が塗布されることにより、例えば光が透過するレンズの曲面部に接着剤が流れ出して、レンズを透過する光路に悪影響が及ぼされるという不具合の発生は防止される。従って、接着剤の塗布不良が原因で、動作不良を生じるピックアップ装置が製造されるということは回避される。
【００３２】
請求項８に係るピックアップ装置は、請求項５〜７の何れか１項に記載のピックアップ装置において、前記ハウジングに前記レンズが装備されるときに、該ハウジングの前記連結部に突設された前記突出部の先端面部が、該レンズの切欠き部の略中央部に位置する状態で、該ハウジングに該レンズが備えられたことを特徴とする。
【００３３】
上記構成により、ハウジングの連結部およびレンズに、容易かつ確実に接着剤が塗布される。ハウジングにレンズが備えられたときに、レンズの切欠き部の略中央部に、ハウジングの連結部に突設された突出部の先端面部が位置する状態で、ハウジングにレンズが備えられていれば、ハウジングの連結部に突設された突出部の先端面部を目標にして、接着
剤を突出部の先端面部に塗布させたときに、接着剤は、ハウジングの連結部に突設された突出部の先端面部と、レンズの切欠き部の略半分の部分とに塗布される。これにより、例えば光が透過するレンズの曲面部に接着剤が流れ出して、レンズを透過する光路に悪影響が及ぼされ、ピックアップ装置が正常に作動しないという不具合の発生は防止される。
【００３４】
請求項９に係るピックアップ装置は、請求項１〜８の何れか１項に記載のピックアップ装置において、前記ハウジングの前記第一支持部は、前記レンズの幅よりも広い幅の傾斜面部を備え、該ハウジングの前記第二支持部は、該レンズの幅よりも広い幅の傾斜面部を備え、該レンズは、レンズ曲面部の周縁部に平面部を備え、該第一支持部の該傾斜面部と、該レンズの該平面部とに、該レンズを該ハウジングに固着させる接着剤が塗布され、該第二支持部の該傾斜面部と、該レンズの該平面部とに、該レンズを該ハウジングに固着させる接着剤が塗布されたことを特徴とする。
【００３５】
上記構成により、ハウジングおよびレンズに確実に接着剤が塗布される。ハウジングを構成する第一支持部の傾斜面部と、レンズ曲面部の周縁部の平面部とに接着剤が塗布されて、ハウジングにレンズが固着される。また、ハウジングを構成する第二支持部の傾斜面部と、レンズ曲面部の周縁部の平面部とに接着剤が塗布されて、ハウジングにレンズが固着される。これにより、レンズ曲面部に甚だしく接着剤が塗布されて、レンズを透過する光路に悪影響が及ぼされるということは回避される。従って、接着剤によりレンズに悪影響が及ぼされることのないピックアップ装置が提供される。また、接着剤によりレンズは確実にハウジングに固着される。
【００３６】
請求項１０に係るピックアップ装置は、請求項１〜９の何れか１項に記載のピックアップ装置において、前記ハウジングに前記レンズを固着させる接着剤が用いられ、該接着剤として、紫外線が照射されることで硬化する紫外線硬化型接着剤が用いられたことを特徴とする。
【００３７】
上記構成により、レンズはハウジングに精度よく迅速に接着される。紫外線硬化型接着剤に紫外線が照射されることで、紫外線硬化型接着剤の硬化反応が促進される。従って、レンズはハウジングに速やかに固着される。ハウジングにレンズが速やかに固着されるので、例えば未硬化の紫外線硬化型接着剤がレンズの曲面部まで甚だしく垂れ流れるということは回避される。従って、レンズの曲面部に甚だしく垂れ流れた接着剤により、レンズを透過する光路に悪影響が及ぼされ、その結果、ピックアップ装置が正常に作動しないという不具合の発生は防止される。
【００３８】
請求項１１に係るピックアップ装置は、請求項１〜１０の何れか１項に記載のピックアップ装置において、前記ハウジングに対して前記レンズを精度よく装備可能とさせる位置決め部が、該ハウジングに設けられたことを特徴とする。
【００３９】
上記構成により、レンズはハウジングに精度よく取り付けられる。レンズがハウジングに装備されるときに、ハウジングの位置決め部にレンズが合わせられることで、ハウジングに精度よくレンズが取り付けられる。レンズがハウジングに精度よく取り付けられていれば、レンズを透過する光路の精度は高いものとなる。従って、高精度なピックアップ装置が構成される。
【００４０】
請求項１２に係るピックアップ装置は、請求項１１に記載のピックアップ装置において、前記位置決め部は、前記第一隔壁および前記第二隔壁から突設された突出部として形成されたことを特徴とする。
【００４１】
上記構成により、レンズはハウジングにより精度よく取り付けられる。レンズがハウジ
ングに装備されるときに、ハウジングの第一隔壁および第二隔壁から突設された位置決め用突出部に、レンズが当接されることで、ハウジングにより精度よくレンズが取り付けられる。ハウジングにレンズが高精度に取り付けられていれば、レンズを透過する光路の精度は高いものとなる。
【００４２】
請求項１３に係るピックアップ装置は、請求項１１又は１２に記載のピックアップ装置において、前記ハウジングに対し前記レンズの取付位置を定めるための基準面が、前記位置決め部に設けられ、該基準面に対応した平面部が該レンズの曲面部の周縁部に設けられ、該ハウジングに設けられた該位置決め部の該基準面に、該レンズの該平面部が当接されて、該ハウジングに該レンズが取り付けられたことを特徴とする。
【００４３】
上記構成により、レンズはハウジングに高精度に取り付けられることとなる。レンズがハウジングに装備されるときに、ハウジングに設けられた位置決め用基準面に、レンズの曲面部の周縁部に設けられた平面部が当接されることで、レンズは、ハウジングに高精度に取り付けられる。ハウジングにレンズが高精度に取り付けられていれば、レンズを透過する光路も高精度なものとなる。
【００４４】
請求項１４に係るピックアップ装置は、請求項１〜１３の何れか１項に記載のピックアップ装置において、前記レンズとして、入射した光を平行光にして出射するコリメータレンズが用いられたことを特徴とする。
【００４５】
上記構成により、ピックアップ装置が作動したときに、高精度な光路がピックアップ装置内に構成される。コリメータレンズに入射した光は、平行光としてコリメータレンズから出射される。平行光とは、収束されたり拡散されたりしない光を意味する。コリメータレンズが装着されるハウジングの振動が低減化されたことにより、コリメータレンズから出射される平行光が揺らされるということが回避される。従って、コリメータレンズを透過した光路が揺らされ、その結果、ピックアップ装置が正常に作動しないという不具合の発生は回避される。
【００４６】
請求項１５に係るピックアップ装置は、請求項１〜１４の何れか１項に記載のピックアップ装置において、持運びが容易なコンピュータのディスク装置に装備可能とされたことを特徴とする。
【００４７】
上記構成により、持運びが容易なコンピュータ用ディスク装置のピックアップ装置が動作不良を起こし、その結果、持運びが容易なコンピュータが正常に作動しないという不具合の発生は回避される。持運びが容易なコンピュータとして、例えば、ラップトップ型コンピュータまたはノートブック型コンピュータが挙げられる。ラップトップ型コンピュータまたはノートブック型コンピュータといった持運びが容易なコンピュータは、小型化、軽薄化、軽量化される傾向にあり、これに伴って、ピックアップ装置も小型化、軽薄化、軽量化される傾向にある。ピックアップ装置を構成するハウジングの第一隔壁と、ハウジングの第二隔壁とを繋ぐ連結部が設けられていれば、小型化、軽薄化、軽量化されたピックアップ装置のハウジングの強度低下を防ぐことが可能となる。従って、ハウジング等から生じる共振などの振動を低減化させた小型軽薄化ピックアップ装置の提供が可能となる。
【発明の効果】
【００４８】
以上の如く、請求項１に記載の発明によれば、ハウジングの強度の向上を図ることができ、ピックアップ装置に生じる共振問題を解決することができる。ハウジングの第一支持部に続く第一隔壁と、ハウジングの第二支持部に続く第二隔壁とを繋ぐ連結部が設けられているので、ハウジングの強度が向上する。従って、ハウジングなどから生じる振動は、
ハウジングの第一隔壁および第二隔壁を繋ぐ連結部により低減化される。これにより、ハウジングの第一隔壁および第二隔壁に生じる共振は抑えられる。ハウジングの第一隔壁および第二隔壁における共振が抑えられるので、ハウジングの第一隔壁に続く第一支持部と、ハウジングの第二隔壁に続く第二支持部とに生じる共振も抑えられる。ハウジングの第一支持部および第二支持部の共振が抑えられるので、レンズは、安定した状態で、ハウジングの第一支持部および第二支持部に支えられる。従って、ハウジングなどに共振が生じ、共振によりハウジングに装着されたレンズの取付状態が不安定となって、レンズを透過する光路に悪影響が及ぼされ、その結果、ピックアップ装置が正常に作動しないという不具合の発生を回避させることができる。
【００４９】
請求項２に記載の発明によれば、レンズをハウジングに確実に固定させることができる。接着剤が用いられてハウジングにレンズが固着されているので、ハウジングなどに生じた共振により、ハウジングに対しレンズの位置ずれ等が生じるということを回避させることができる。
【００５０】
請求項３に記載の発明によれば、レンズをハウジングに安定した状態で固定させることができる。一般に三箇所固定構造のものは、外力などに影響され難い安定した構造のものとされている。ハウジングおよびレンズに接着剤が三箇所塗布されて、ハウジングにレンズが固定されていれば、レンズは安定した状態でハウジングに固定されることとなる。従って、ハウジングなどに共振現象が生じ、ハウジングに対しレンズに位置ずれ等が生じるということを回避させることができる。
【００５１】
請求項４に記載の発明によれば、レンズをハウジングに安定した状態で確実に装着させることができる。ハウジングの第一支持部と、ハウジングの第二支持部と、ハウジングの連結部とに接着剤が塗布されることにより、レンズは、三箇所の接着剤によってハウジングに固定される。これにより、レンズはハウジングに安定した状態で確実に固定される。従って、ハウジングなどに生じた振動などによりレンズが揺れ動き、ピックアップ装置の光学系に不具合が生じ、その結果、ピックアップ装置が正常に作動しないという不具合の発生を防止することができる。
【００５２】
請求項５に記載の発明によれば、ハウジングの連結部とレンズとに、容易に接着剤を塗布させることができる。ハウジングにレンズが備えられたときに、ハウジングの連結部に設けられた突出部を目標に接着剤を塗布させれば、ハウジングの連結部の突出部と、ハウジングに備えられたレンズとに、容易に接着剤が塗布されることとなる。接着剤の塗布作業が容易となり、これに伴って、例えばレンズの曲面部に不用意に接着剤が塗布されるといった接着不良の発生は低減化する。ハウジングの連結部およびレンズに塗布された接着剤により、ハウジングにレンズを確実に固着させることができる。
【００５３】
請求項６に記載の発明によれば、ハウジングにレンズを確実に接着させることができる。ハウジングの連結部の突出部に対応した切欠き部が、レンズに設けられているので、ハウジングにレンズを固着させる接着剤は、ハウジングの連結部の突出部と、レンズの切欠き部とに確実に付着する。
【００５４】
請求項７に記載の発明によれば、ハウジングの連結部とレンズとに、容易で確実に接着剤を塗布させることができる。ハウジングの連結部に設けられた突出部の先端面部と、レンズの切欠き部を形成する平面部とに接着剤が塗布されることにより、例えば光が透過するレンズの曲面部に接着剤が流れ出して、レンズを透過する光路に悪影響が及ぼされるという不具合の発生は防止される。従って、接着剤の塗布不良が原因で、動作不良を生じるピックアップ装置が製造されるということを回避させることができる。
【００５５】
請求項８に記載の発明によれば、ハウジングの連結部およびレンズに、容易かつ確実に接着剤を塗布させることができる。ハウジングにレンズが備えられたときに、レンズの切欠き部の略中央部に、ハウジングの連結部に突設された突出部の先端面部が位置する状態で、ハウジングにレンズが備えられていれば、ハウジングの連結部に突設された突出部の先端面部を目標にして、接着剤を突出部の先端面部に塗布させたときに、接着剤は、ハウジングの連結部に突設された突出部の先端面部と、レンズの切欠き部の略半分の部分とに塗布される。これにより、例えば光が透過するレンズの曲面部に接着剤が流れ出して、レンズを透過する光路に悪影響が及ぼされ、ピックアップ装置が正常に作動しないという不具合の発生を防止することができる。
【００５６】
請求項９に記載の発明によれば、ハウジングおよびレンズに確実に接着剤を塗布させることができる。ハウジングを構成する第一支持部の傾斜面部と、レンズ曲面部の周縁部の平面部とに接着剤が塗布されて、ハウジングにレンズが固着される。また、ハウジングを構成する第二支持部の傾斜面部と、レンズ曲面部の周縁部の平面部とに接着剤が塗布されて、ハウジングにレンズが固着される。これにより、レンズ曲面部に甚だしく接着剤が塗布されて、レンズを透過する光路に悪影響が及ぼされるということは回避される。従って、接着剤によりレンズに悪影響が及ぼされることのないピックアップ装置を提供することができる。また、接着剤によりレンズを確実にハウジングに固着させることができる。
【００５７】
請求項１０に記載の発明によれば、ハウジングにレンズを精度よく迅速に接着させることができる。紫外線硬化型接着剤に紫外線が照射されることで、紫外線硬化型接着剤の硬化反応が促進される。従って、レンズはハウジングに速やかに固着される。ハウジングにレンズが速やかに固着されるので、例えば未硬化の紫外線硬化型接着剤がレンズの曲面部まで甚だしく垂れ流れるということは回避される。従って、レンズの曲面部に甚だしく垂れ流れた接着剤により、レンズを透過する光路に悪影響が及ぼされ、その結果、ピックアップ装置が正常に作動しないという不具合の発生を防止することができる。
【００５８】
請求項１１に記載の発明によれば、ハウジングにレンズを精度よく取り付けることができる。レンズがハウジングに装備されるときに、ハウジングの位置決め部にレンズが合わせられることで、ハウジングに精度よくレンズが取り付けられる。レンズがハウジングに精度よく取り付けられていれば、レンズを透過する光路の精度は高いものとなる。従って、高精度なピックアップ装置を構成させることができる。
【００５９】
請求項１２に記載の発明によれば、ハウジングにレンズをより精度よく取り付けることができる。レンズがハウジングに装備されるときに、ハウジングの第一隔壁および第二隔壁から突設された位置決め用突出部に、レンズが当接されることで、ハウジングにより精度よくレンズが取り付けられる。ハウジングにレンズが高精度に取り付けられていれば、レンズを透過する光路の精度を高いものとさせることができる。
【００６０】
請求項１３に記載の発明によれば、ハウジングにレンズを高精度に取り付けることができる。レンズがハウジングに装備されるときに、ハウジングに設けられた位置決め用基準面に、レンズの曲面部の周縁部に設けられた平面部が当接されることで、レンズは、ハウジングに高精度に取り付けられる。ハウジングにレンズが高精度に取り付けられていれば、レンズを透過する光路も高精度なものとさせることができる。
【００６１】
請求項１４に記載の発明によれば、ピックアップ装置が作動したときに、高精度な光路をピックアップ装置内に構成させることができる。コリメータレンズに入射した光は、平行光としてコリメータレンズから出射される。平行光とは、収束されたり拡散されたりしない光を意味する。コリメータレンズが装着されるハウジングの振動が低減化されたことにより、コリメータレンズから出射される平行光が揺らされるということが回避される。
従って、コリメータレンズを透過した光路が揺らされ、その結果、ピックアップ装置が正常に作動しないという不具合の発生を回避させることができる。
【００６２】
請求項１５に記載の発明によれば、持運びが容易なコンピュータ用ディスク装置のピックアップ装置が動作不良を起こし、その結果、持運びが容易なコンピュータが正常に作動しないという不具合の発生を回避させることができる。持運びが容易なコンピュータとして、例えば、ラップトップ型コンピュータまたはノートブック型コンピュータが挙げられる。ラップトップ型コンピュータまたはノートブック型コンピュータといった持運びが容易なコンピュータは、小型化、軽薄化、軽量化される傾向にあり、これに伴って、ピックアップ装置も小型化、軽薄化、軽量化される傾向にある。ピックアップ装置を構成するハウジングの第一隔壁と、ハウジングの第二隔壁とを繋ぐ連結部が設けられていれば、小型化、軽薄化、軽量化されたピックアップ装置のハウジングの強度低下を防ぐことができる。従って、ハウジング等から生じる共振などの振動を低減化させた小型軽薄化ピックアップ装置を提供することができる。
【発明を実施するための最良の形態】
【００６３】
以下に本発明に係るピックアップ装置の一実施の形態を図面に基づいて詳細に説明する。
【００６４】
図１は、本発明に係るピックアップ装置の一実施の形態を示す分解斜視図、図２は、ハウジングにレンズが取り付けられた状態を示す斜視図である。
【００６５】
光ディスク装置（図示せず）に装備される光ピックアップ装置１０が用いられて、光ディスク（図示せず）に記録された情報などのデータが再生される。また、光ディスク装置が用いられて、光ディスクに情報などのデータの記録が行われる。ディスクとして、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ」，「Blu-ray Disc」などの書込み／消去や書換え可能なタイプの光ディスクなどが挙げられる。
【００６６】
「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ−Ｒ」もしくは「ＤＶＤ＋Ｒ」の「Ｒ」は、「Recordable」の略称とされ、ＣＤ−ＲまたはＤＶＤ−ＲもしくはＤＶＤ＋Ｒは、データの書込みが可能なものとされている。また、「ＣＤ−ＲＷ」または「ＤＶＤ−ＲＷ」もしくは「ＤＶＤ＋ＲＷ」の「ＲＷ」は、「ReWritable」の略称とされ、ＣＤ−ＲＷまたはＤＶＤ−ＲＷもしくはＤＶＤ＋ＲＷは、データの書換えが可能なものとされている。また、「ＤＶＤ−ＲＡＭ」は、「Digital Versatile Disc Random Access Memory 」の略称とされ、データの読み書き・消去が可能なものとされている。
【００６７】
また、「ＨＤ  ＤＶＤ」は、「High Definition DVD 」の略称とされる。「ＨＤ  ＤＶＤ」は、従来のＤＶＤ系列のものと互換性をもたせ、且つ、従来のＤＶＤ系列のディスクよりも記憶容量の大きいものとされる。従来のＣＤやＤＶＤには、赤色のレーザが用いられていたが、「ＨＤ  ＤＶＤ」の光ディスクに記録されたデータが読み出されるときには、青紫色のレーザが用いられる。また、「Blu-ray 」とは、従来のＣＤやＤＶＤで信号の読み書きに用いられていた赤色のレーザに対し、高密度記録が実現されるために採用された青紫色のレーザを意味する。
【００６８】
図１の如く、この光ピックアップ装置１０は、ダイカスト製ハウジング３０と、ダイカスト製ハウジング３０に取り付けられるガラス製光学レンズ２０とを少なくとも備えている。ハウジング３０のレンズ取付部３５に光学レンズ２０が装着される。
【００６９】
ハウジングとは、部品が収容される箱形のもの等の物が入れられる箱や、箱に類似したものを意味する。ハウジング３０は、例えば、亜鉛や、アルミニウムなどの非鉄金属や、亜鉛や、アルミニウムを含有する合金が用いられて形成されている。亜鉛や、アルミニウムは、耐食性に優れたものとされ、鉄よりも比重の小さい非鉄金属とされている。
【００７０】
レンズとは、向かい合った二つの表面が、二つとも曲面として形成された略板状の透明体や、向かい合った二つの表面のうち、一つが曲面として形成されもう一つが平面として形成された略板状の透明体などを意味する。光学レンズは、光線束を発散または収束させて、実像または虚像を結ぶものとされている。光学レンズとして、例えば、凸レンズ、凹レンズなどが挙げられる。
【００７１】
ハウジング３０は、光学レンズ２０の第一側部２１を支える第一支持部４１と、光学レンズ２０の第二側部２２を支える第二支持部４２と、第一支持部４１に続く第一隔壁５１と、第二支持部４２に続く第二隔壁５２と、第一隔壁５１と第二隔壁５２とを繋ぎ、ハウジング３０などから生じる振動を低減化させる連結部６０とを有する。
【００７２】
このようにハウジング３０が構成されることにより、ハウジング３０の機械的強度の向上が図られ、光ピックアップ装置１０に生じる共振問題が解決される。
【００７３】
図３に示す上記従来の光ピックアップ装置５１０にあっては、レンズ取付部５３５の上部開口部５３６が強度不足となり、共振によってレンズ５２０の取付精度が低下することが懸念されていた。
【００７４】
しかしながら、図１および図２の如く、レンズ取付部３５の上部に、第一隔壁５１と第二隔壁５２とを結ぶ連結部６０が設けられていれば、ハウジング３０の強度が向上し、ハウジング３０のレンズ取付部３５における共振問題が解決される。
【００７５】
詳しく説明すると、ハウジング３０の第一支持部４１に続く第一隔壁５１と、ハウジング３０の第二支持部４２に続く第二隔壁５２とを繋ぎ、振動を低減化させる連結部６０がレンズ取付部３５に設けられているので、ハウジング３０の剛性や強度が向上する。従って、ハウジング３０などから生じる振動は、ハウジング３０の第一隔壁５１および第二隔壁５２を繋ぐ連結部６０により低減化される。
【００７６】
これにより、ハウジング３０の第一隔壁５１および第二隔壁５２に生じる共振は抑えられる。ハウジング３０の第一隔壁５１および第二隔壁５２における共振が抑えられるので、ハウジング３０の第一隔壁５１に続く第一支持部４１と、ハウジング３０の第二隔壁５２に続く第二支持部４２とに生じる共振も抑えられる。ハウジング３０の第一支持部４１および第二支持部４２の共振が抑えられるので、光学レンズ２０は、ハウジング３０などから生じる振動などに影響されることのない安定した状態で、ハウジング３０の第一支持部４１および第二支持部４２に支えられる。従って、ハウジング３０などに共振が生じ、共振によりハウジング３０に装着された光学レンズ２０の取付状態が不安定となって、光学レンズ２０を透過する光路に悪影響が及ぼされ、その結果、光ピックアップ装置１０が正常に作動しないという不具合の発生は回避される。
【００７７】
光学レンズ２０の第一側部２１を支える第一支持部４１と、光学レンズ２０の第二側部２２を支える第二支持部４２と、第一支持部４１に続く第一隔壁５１と、第二支持部４２
に続く第二隔壁５２と、第一隔壁５１と第二隔壁５２とを繋ぐ連結部６０とは、同質材料が用いられて一体形成されている。また、ハウジング３０のレンズ取付部３５と、ハウジング３０の基壁３１とは、同質材料が用いられて一体形成されている。
【００７８】
ハウジング３０に光学レンズ２０が固定されるときに、ハウジング３０に光学レンズ２０を固着させる接着剤９１，９２，９３（図２）が用いられて、ハウジング３０に光学レンズ２０が装着されている。各接着剤９１，９２，９３は、同材質の接着剤とされている。
【００７９】
接着剤９１，９２，９３が用いられることにより、光学レンズ２０は、ハウジング３０に確実に固定される。接着剤９１，９２，９３が用いられてハウジング３０に光学レンズ２０が固着されているので、ハウジング３０などに生じた共振により、ハウジング３０に対し光学レンズ２０の位置ずれ等が生じるということは回避される。
【００８０】
ハウジング３０および光学レンズ２０に、接着剤９１と、接着剤９２と、接着剤９３とが、略等間隔に三箇所塗布されて、ハウジング３０に光学レンズ２０が固定されている。
【００８１】
これにより、光学レンズ２０は、ハウジング３０に安定した状態で固定される。一般に三箇所固定構造のものは、外力などに影響され難い安定した構造のものとされている。ハウジング３０および光学レンズ２０に、各接着剤９１，９２，９３が、略等間隔に三箇所塗布されて、ハウジング３０に光学レンズ２０が固定されていれば、光学レンズ２０は、安定した状態でハウジング３０に固定されることとなる。従って、ハウジング３０などに共振現象が生じ、ハウジング３０に対し光学レンズ２０に位置ずれ等が生じるということは回避される。
【００８２】
ハウジング３０のレンズ取付部３５を構成する第一支持部４１と、第二支持部４２と、連結部６０とに接着剤９１，９２，９３が塗布されて、ハウジング３０に光学レンズ２０が固定される。具体的に説明すると、ハウジング３０のレンズ取付部３５を構成する第一支持部４１に接着剤９１が塗布される。また、ハウジング３０のレンズ取付部３５を構成する第二支持部４２に接着剤９２が塗布される。また、ハウジング３０のレンズ取付部３５を構成する連結部６０に接着剤９３が塗布される。このようにして、ハウジング３０に光学レンズ２０が固着されている。
【００８３】
これにより、光学レンズ２０は、ハウジング３０に安定した状態で確実に装着される。ハウジング３０の第一支持部４１と、ハウジング３０の第二支持部４２と、ハウジング３０の連結部６０とに各接着剤９１，９２，９３が塗布されることにより、光学レンズ２０は、略均等に三箇所の接着剤９１，９２，９３によってハウジング３０に固定される。これにより、光学レンズ２０は、ハウジング３０に安定した状態で確実に固定される。従って、ハウジング３０などに生じた振動などにより光学レンズ２０が揺れ動き、光ピックアップ装置１０の光学系に焦点ずれなどの不具合が生じ、その結果、光ピックアップ装置１０が正常に作動しないという不具合の発生は防止される。
【００８４】
光学レンズ２０と、連結部６０とに接着剤９３を塗布させ易くする突出部６３が、連結部６０の略中央部６０ｃに設けられている。詳しく説明すると、ハウジング３０のレンズ取付部３５を構成する連結部６０の略中央部６０ｃの一箇所に、接着剤９３が塗布可能とされた接着部６３が設けられている。この接着部６３は、連結部６０の略中央部６０ｃからレンズ装着側に向けて突出形成されている。
【００８５】
このような突出部６３が、ハウジング３０のレンズ取付部３５を構成する連結部６０に設けられていれば、ハウジング３０の連結部６０と、光学レンズ２０とに、容易に接着剤
９３が塗布される。ハウジング３０に光学レンズ２０が備えられたときに、ハウジング３０の連結部６０に設けられた突出部６３を目標に接着剤９３を塗布させれば、ハウジング３０の連結部６０の突出部６３と、ハウジング３０に備えられた光学レンズ２０とに、容易に接着剤９３が塗布されることとなる。
【００８６】
接着剤９３の塗布作業が容易となり、これに伴って、例えば光学レンズ２０の凸側曲面部２５ａに不用意に接着剤９３が塗布されるといった接着不良の発生は低減化する。光学レンズ２０の凸側曲面部２５ａは、レンズ２０内を透過したレーザ光が出射する重要な部分とされている。ハウジング３０の連結部６０および光学レンズ２０に塗布された接着剤９３により、光学レンズ２０はハウジング３０に確実に固着される。
【００８７】
ハウジング３０の連結部６０の突出部６３に対応した切欠き部２３が、光学レンズ２０に設けられている。
【００８８】
これにより、光学レンズ２０は、ハウジング３０に確実に接着される。ハウジング３０の連結部６０の突出部６３に対応した切欠き部２３が、光学レンズ２０に設けられているので、ハウジング３０に光学レンズ２０を固着させる接着剤９３は、ハウジング３０の連結部６０の突出部６３と、光学レンズ２０の切欠き部２３とに確実に付着する。
【００８９】
また、切欠き部２３が光学レンズ２０に設けられることにより、ハウジング３０に容易に光学レンズ２０が備えられる。ハウジング３０の連結部６０の突出部６３に対応した切欠き部２３が、光学レンズ２０に設けられているので、光学レンズ２０がハウジング３０に備えられるときに、光学レンズ２０の切欠き部２３が、ハウジング３０の連結部６０の突出部６３に合わせられる。これにより、ハウジング３０に容易に光学レンズ２０が備えられる。
【００９０】
また、光ピックアップ装置１０のハウジング３０の底面から光学レンズ２０が突出されることを回避させるために、光学レンズ２０にもう一つの切欠き部２４が設けられている。このように、光学レンズ２０には、一対の切欠き部２３，２４が設けられている。光学レンズ２０は、第一切欠き部２３と、第二切欠き部２４とを備えている。
【００９１】
接着剤９３は、ハウジング３０の連結部６０に突設された突出部６３の先端面部６３ａと、光学レンズ２０の切欠き部２３を形成する平面部２３ａとに塗布される。光学レンズ２０に設けられた平面部２３ａは、接着剤９３が溜まることが可能なフラット部２３ａとされている。
【００９２】
これにより、ハウジング３０の連結部６０と、光学レンズ２０とに、容易で確実に接着剤９３が塗布される。ハウジング３０の連結部６０に設けられた突出部６３の先端面部６３ａと、光学レンズ２０の切欠き部２３を形成する平面部２３ａとに、接着剤９３が塗布されることにより、例えば光が透過する光学レンズ２０の凸側曲面部２５ａに接着剤９３が流れ出して、光学レンズ２０を透過する光路に悪影響が及ぼされるという不具合の発生は防止される。従って、接着剤９３の塗布不良が原因で、動作不良を生じる光ピックアップ装置１０が製造されるということは回避される。これにより、光ピックアップ装置１０の歩留りが向上する。
【００９３】
ハウジング３０に光学レンズ２０が装備されるときに、ハウジング３０の連結部６０に突設された突出部６３の先端面部６３ａが、光学レンズ２０の切欠き部２３のレンズ厚さ方向略中央部２３ｃに位置する状態で、ハウジング３０に光学レンズ２０が備えられる。
【００９４】
このようにすることで、ハウジング３０の連結部６０および光学レンズ２０に、容易か
つ確実に接着剤９３が塗布される。ハウジング３０に光学レンズ２０が備えられたときに、光学レンズ２０の切欠き部２３のレンズ厚さ方向略中央部２３ｃに、ハウジング３０の連結部６０に突設された突出部６３の先端面部６３ａが位置する状態で、ハウジング３０に光学レンズ２０が備えられていれば、ハウジング３０の連結部６０に突設された突出部６３の先端面部６３ａを目標にして、接着剤９３を突出部６３の先端面部６３ａに塗布させたときに、接着剤９３は、ハウジング３０の連結部６０に突設された突出部６３の先端面部６３ａと、光学レンズ２０の切欠き部２３の略半分の部分とに塗布される。これにより、例えば光が透過する光学レンズ２０の凸側曲面部２５ａに接着剤９１が流れ出して、光学レンズ２０を透過する光路に悪影響が及ぼされ、光ピックアップ装置１０が正常に作動しないという不具合の発生は防止される。
【００９５】
また、このような接着構造のものが構成されることにより、ハウジング３０に対する光学レンズ２０の取付寸法精度が向上する。
【００９６】
図３に示す上記従来の光ピックアップ装置５１０にあっては、コリメータレンズ５２０と、ハウジング５３０のレンズ取付部５３５との間に位置する接着剤５９３，５９４が膨張または収縮した場合、ハウジング５３０に取り付けられたコリメータレンズ５２０の取付寸法に狂いが生じる。従って、このような光ピックアップ装置５１０は、接着剤５９３，５９４に生じる膨張・収縮により、ハウジング５３０に対するコリメータレンズ５２０の取付寸法精度が低くなることが懸念されていた。
【００９７】
しかしながら、図２に示すオープン構造の接着構造が採用されていれば、光学レンズ２０の上部の接着剤９３に膨張または収縮が生じても、光学レンズ２０は、精度よくハウジング３０に固着され続ける。従って、ハウジング３０に対する光学レンズ２０の取付信頼性向上される。
【００９８】
ハウジング３０に光学レンズ２０が装備されるときに、ハウジング３０の連結部６０の突出部６３と、光学レンズ２０の切欠き部２３とが合わせられると共に、突出部６３と、切欠き部２３との間に隙間がもたされた状態で、ハウジング３０に光学レンズ２０が備えられる。
【００９９】
これにより、ハウジング３０に無理なく容易に光学レンズ２０が備えられる。ハウジング３０の連結部６０に突設された突出部６３と、光学レンズ２０の切欠き部２３との間に隙間がある状態で、ハウジング３０に光学レンズ２０が装備可能な光ピックアップ装置１０とされていれば、ハウジング３０に対する光学レンズ２０の取付作業は、容易で迅速に行われる。これにより、安価な光ピックアップ装置１０を、光ディスク装置の組立メーカや、光ディスク装置の使用者等に提供することができる。
【０１００】
ハウジング３０の第一支持部４１は、光学レンズ２０の幅よりも広い幅の傾斜平面部４１ａを備えている。また、ハウジング３０の第二支持部４２は、光学レンズ２０の幅よりも広い幅の傾斜平面部４２ａを備えている。また、光学レンズ２０は、凸側レンズ曲面部２５ａの周縁部２９ａに、第一環状平面部２６ａと、第二環状平面部２７ａとを備えている。
【０１０１】
ハウジング３０の第一支持部４１の傾斜平面部４１ａと、光学レンズ２０の第一環状平面部２６ａとに、光学レンズ２０をハウジング３０に固着させる接着剤９１が塗布される。また、ハウジング３０の第二支持部４２の傾斜平面部４２ａと、光学レンズ２０の第二環状平面部２７ａとに、光学レンズ２０をハウジング３０に固着させる接着剤９２が塗布される。
【０１０２】
このようにすることで、ハウジング３０および光学レンズ２０に、確実に接着剤９１，９２が塗布される。ハウジング３０を構成する第一支持部４１の傾斜平面部４１ａと、凸側レンズ曲面部２５ａの周縁部２９ａの第一環状平面部２６ａとに接着剤９１が塗布されて、ハウジング３０に光学レンズ２０が固着される。また、ハウジング３０を構成する第二支持部４２の傾斜平面部４２ａと、凸側レンズ曲面部２５ａの周縁部２９ａの第二環状平面部２７ａとに接着剤９２が塗布されて、ハウジング３０に光学レンズ２０が固着される。
【０１０３】
これにより、レンズ曲面部２５ａに甚だしく接着剤９１，９２が塗布されて、光学レンズ２０を透過する光路に悪影響が及ぼされるということは回避される。従って、接着剤９１，９２により光学レンズ２０に悪影響が及ぼされることのない光ピックアップ装置１０を、光ディスク装置の組立メーカや、光ディスク装置の使用者等に提供することができる。また、接着剤９１，９２により、光学レンズ２０は確実にハウジング３０に固着される。
【０１０４】
ハウジング３０に光学レンズ２０を固着させる接着剤９１，９２，９３が用いられ、接着剤９１，９２，９３として、紫外線が照射されることで硬化する紫外線硬化型接着剤９１，９２，９３が用いられる。
【０１０５】
これにより、光学レンズ２０は、ハウジング３０に精度よく迅速に接着される。紫外線硬化型接着剤９１，９２，９３に紫外線が照射されることで、紫外線硬化型接着剤９１，９２，９３の硬化反応が促進される。従って、光学レンズ２０はハウジング３０に速やかに固着される。ハウジング３０に光学レンズ２０が速やかに固着されるので、例えば、重力により、未硬化の紫外線硬化型接着剤９３が光学レンズ２０のフラット部２３ａから光学レンズ２０の凸側曲面部２５ａまで甚だしく垂れ流れるということは回避される。従って、光学レンズ２０の凸側曲面部２５ａに甚だしく垂れ流れた接着剤９３により、光学レンズ２０を透過する光路に悪影響が及ぼされ、その結果、光ピックアップ装置１０が正常に作動しないという不具合の発生は防止される。
【０１０６】
光硬化型接着剤の一種とされる紫外線硬化型接着剤として、例えば米国ＮＯＲＬＡＮＤ社製：光学ＵＶ接着剤ＮＯＡ６０，ＮＯＡ７７等が挙げられる。光学ＵＶ接着剤ＮＯＡ６０，ＮＯＡ７７等の紫外線硬化型接着剤は、アクリル系のものとされ、一液性の紫外線硬化型接着剤とされている。一液性の紫外線硬化型接着剤が用いられることにより、二液性の紫外線硬化型接着剤が使用されるときに行われる液と液との混合作業が不要となる。従って、接着剤の塗布工程は、迅速で効率的に行われる。「ＵＶ」とは、「ultraviolet 」を意味する。また、「ultraviolet radiation 」は、「紫外線」を意味する。紫外線硬化型接着剤は、ＵＶ硬化型接着剤などと呼ばれている。光ピックアップ装置の設計仕様などにより、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。
【０１０７】
光ピックアップ装置１０における光学レンズ２０の接着方法の一例について説明する。
【０１０８】
先ず、ハウジング３０の第一支持部４１の傾斜平面部４１ａと、光学レンズ２０の第一環状平面部２６ａとに、光学レンズ２０をハウジング３０に固着させる紫外線硬化型接着剤９１が塗布される。また、ハウジング３０の第二支持部４２の傾斜平面部４２ａと、光学レンズ２０の第二環状平面部２７ａとに、光学レンズ２０をハウジング３０に固着させる紫外線硬化型接着剤９２が塗布される。次に、ハウジング３０の連結部６０に突設された突出部６３の先端面部６３ａと、光学レンズ２０の切欠き部２３を形成するフラット部２３ａとに、光学レンズ２０をハウジング３０に固着させる紫外線硬化型接着剤９３が塗
布される。
【０１０９】
その後、数秒間の短時間中に、各紫外線硬化型接着剤９１，９２，９３に紫外線を同時に照射させる。各紫外線硬化型接着剤９１，９２，９３に紫外線を照射させることにより、各紫外線硬化型接着剤９１，９２，９３の硬化反応を促進させて、各紫外線硬化型接着剤９１，９２，９３を略同時に硬化させる。これにより、各接着剤９１，９２，９３の液だれ等が生じることなく、速やかに接着工程が終了する。
【０１１０】
図１の如く、ハウジング３０に対して光学レンズ２０を精度よく装備可能とさせる一対の位置決め部７１，７２が、ハウジング３０のレンズ取付部３５に設けられている。ハウジング３０のレンズ取付部３５に設けられた位置決め部７１，７２は、第一位置決め部７１と、第二位置決め部７２とを備えるものとして構成されている。
【０１１１】
ハウジング３０のレンズ取付部３５に、一対の位置決め部７１，７２が設けられていれば、光学レンズ２０は、ハウジング３０に精度よく取り付けられる。光学レンズ２０がハウジング３０に装備されるときに、ハウジング３０のレンズ取付部３５に設けられた複数の位置決め部７１，７２に光学レンズ２０が合わせられることで、ハウジング３０に精度よく光学レンズ２０が取り付けられる。光学レンズ２０がハウジング３０に精度よく取り付けられていれば、光学レンズ２０を透過する光路の精度は高いものとなる。従って、高精度な光ピックアップ装置１０が構成される。
【０１１２】
第一位置決め部７１は、ハウジング３０を構成する第一隔壁５１から光学レンズ２０に向けて突設された第一突出部７１として形成されている。また、第二位置決め部７２は、ハウジング３０を構成する第二隔壁５２から光学レンズ２０に向けて突設された第二突出部７２として形成されている。
【０１１３】
これにより、光学レンズ２０は、ハウジング３０に、より精度よく取り付けられる。光学レンズ２０がハウジング３０に装備されるときに、ハウジング３０の第一隔壁５１から突設された位置決め用突出部７１と、ハウジング３０の第二隔壁５２から突設された位置決め用突出部７２とに、光学レンズ２０が当接されることで、ハウジング３０に、より精度よく光学レンズ２０が取り付けられる。ハウジング３０に光学レンズ２０が高精度に取り付けられていれば、光学レンズ２０を透過する光路の精度は高いものとなる。
【０１１４】
ハウジング３０に対し、光学レンズ２０の取付位置を定めるための基準面７１ｂ，７２ｂが、ハウジング３０を構成する第一隔壁５１および第二隔壁５２の位置決め部７１，７２に設けられている。詳しく説明すると、ハウジング３０に対し、光学レンズ２０の取付位置を精度よく定めるための基準面７１ｂが、ハウジング３０の第一隔壁５１の第一突出部７１に設けられている。また、ハウジング３０に対し、光学レンズ２０の取付位置を精度よく定めるための基準面７２ｂが、ハウジング３０の第二隔壁５２の第二突出部７２に設けられている。各基準面７１ｂ，７２ｂは、抜き勾配が設けられていない高精度な面として形成されている。
【０１１５】
第一突出部７１の基準面７１ｂに対応した第一環状平面部２６ｂが、光学レンズ２０の凹側曲面部２５ｂの周縁部２９ｂに設けられている。光学レンズ２０の凹側曲面部２５ｂの第一環状平面部２６ｂは、光学レンズ２０の凸側曲面部２５ａの第一環状平面部２６ａと略同じ形状に形成されている。
【０１１６】
また、第二突出部７２の基準面７２ｂに対応した第二環状平面部２７ｂが、光学レンズ２０の凹側曲面部２５ｂの周縁部２９ｂに設けられている。光学レンズ２０の凹側曲面部２５ｂの第二環状平面部２７ｂは、光学レンズ２０の凸側曲面部２５ａの第二環状平面部
２７ａと略同じ形状に形成されている。
【０１１７】
ハウジング３０に設けられた位置決め部７１，７２の基準面７１ｂ，７２ｂに、光学レンズ２０の凹側曲面部２５ｂの平面部２６ｂ，２７ｂが当接されて、ハウジング３０に光学レンズ２０が取り付けられる。詳しく説明すると、ハウジング３０に設けられた第一突出部７１の基準面７１ｂに、光学レンズ２０の凹側曲面部２５ｂの第一環状平面部２６ｂが当接されて、ハウジング３０に光学レンズ２０が取り付けられている。また、ハウジング３０に設けられた第二突出部７２の基準面７２ｂに、光学レンズ２０の凹側曲面部２５ｂの第二環状平面部２７ｂが当接されて、ハウジング３０に光学レンズ２０が取り付けられている。
【０１１８】
これにより、光学レンズ２０は、ハウジング３０に高精度に取り付けられることとなる。光学レンズ２０がハウジング３０に装備されるときに、ハウジング３０の第一隔壁５１および第二隔壁５２に設けられた位置決め用基準面７１ｂ，７２ｂに、光学レンズ２０の凹側曲面部２５ｂの周縁部２９ｂに設けられた平面部２６ｂ，２７ｂが当接されることで、光学レンズ２０は、ハウジング３０に高精度に取り付けられる。
【０１１９】
詳しく説明すると、光学レンズ２０がハウジング３０に装備されるときに、ハウジング３０の第一隔壁５１の突出部７１に設けられた位置決め用基準面７１ｂに、光学レンズ２０の凹側曲面部２５ｂの周縁部２９ｂに設けられた第一環状平面部２６ｂが当接されることで、光学レンズ２０は、ハウジング３０に高精度に取り付けられる。また、光学レンズ２０がハウジング３０に装備されるときに、ハウジング３０の第二隔壁５２の突出部７２に設けられた位置決め用基準面７２ｂに、光学レンズ２０の凹側曲面部２５ｂの周縁部２９ｂに設けられた第二環状平面部２７ｂが当接されることで、光学レンズ２０は、ハウジング３０に高精度に取り付けられる。ハウジング３０に光学レンズ２０が高精度に取り付けられていれば、光学レンズ２０を透過する光路も高精度なものとなる。
【０１２０】
光学レンズ２０として、入射した光を平行光にして出射するコリメータレンズ２０が用いられた。コリメータレンズ２０の凹側曲面部２５ｂは、レンズ２０にレーザ光が入射するための重要な部分とされている。また、コリメータレンズ２０の凸側曲面部２５ａは、レンズ２０内を透過したレーザ光が出射する重要な部分とされている。
【０１２１】
これにより、光ピックアップ装置１０が作動したときに、高精度な光路が光ピックアップ装置１０内に構成される。コリメータレンズ２０の凹側曲面部２５ｂに入射した光は、平行光としてコリメータレンズ２０の凸側曲面部２５ａから出射される。平行光とは、収束されたり拡散されたりしない光を意味する。コリメータレンズ２０が装着されるハウジング３０のレンズ取付部３５の振動が低減化されたことにより、コリメータレンズ２０から出射される平行光が揺らされるということが回避される。従って、コリメータレンズ２０を透過した光路が揺らされ、その結果、光ピックアップ装置１０が正常に作動しないという不具合の発生は回避される。また、光学レンズ２０として、コリメータレンズ２０が用いられることにより、不図示の光ディスクの揺動などに対応可能な光ピックアップ装置１０が構成される。
【０１２２】
また、ハウジング３０のアクチュエータ装着部８０に、アクチュエータ（図示せず）が装備される。上述した如く、アクチュエータとは、油圧やモータなどにより、エネルギーを並進運動または回転運動などの動作に変換させる駆動装置を意味する。ハウジング３０の周壁３２に設けられた支持部８１，８２に、不図示のアクチュエータのフレームが装着される。不図示のアクチュエータは、光ディスク（図示せず）に対し対物レンズ（図示せず）の位置を最適な位置に調整させる。
【０１２３】
光ピックアップ装置１０は、持運びが容易なコンピュータのディスク装置（図示せず）に装備可能な小型軽薄なものとされている。
【０１２４】
略安定した動作を行う小型軽薄な光ピックアップ装置１０がディスク装置に装備されていれば、持運びが容易なコンピュータ用ディスク装置の光ピックアップ装置１０が動作不良を起こし、その結果、持運びが容易なコンピュータが正常に作動しないという不具合の発生は回避される。持運びが容易なコンピュータとして、例えば、ラップトップ型コンピュータ（図示せず）や、ノートブック型コンピュータ（図示せず）等が挙げられる。
【０１２５】
コンピュータについて説明する。パーソナルコンピュータ（Personal Computer ）は、「ＰＣ」と略称とされている。また、パーソナルコンピュータは、パソコン等と略称されて用いられている。
【０１２６】
デスクトップ型コンピュータは、卓上型コンピュータとされ、机の上で使用可能なコンピュータとされている。しかしながら、デスクトップ型コンピュータは、容易に持運びができないタイプのものとされている。
【０１２７】
デスクトップ型ＰＣに対し、ラップトップ型ＰＣや、ノート型ＰＣは、軽量化、軽薄化が要求されることから、スリム型ドライブとされる光ディスク装置を備えた構造のものとされている。ラップトップ型ＰＣや、ノート型ＰＣは、デスクトップ型ＰＣと異なる構造のものとされている。ラップトップ型ＰＣもしくはノート型ＰＣは、ディスプレイ（図示せず）と、ＰＣ本体（図示せず）とが、一体構造のものとされている。ＰＣ本体に対し、ディスプレイが折りたたまれることで、ラップトップ型ＰＣもしくはノート型ＰＣは、薄型サイズのものとなる。ノート型ＰＣは、このものが折りたたまれて平面視されたときに、略Ａ４判もしくはこれ以下の大きさの汎用ＰＣとされる。このようなことから、ノート型ＰＣは、ブック型ＰＣとも呼ばれている。このように、ノート型ＰＣもしくはラップトップ型ＰＣは、コンパクトなものとして容易に持運びができるものとされている。
【０１２８】
ラップトップ型コンピュータや、ノートブック型コンピュータ等の持運びが容易な形態のコンピュータは、小型化、軽薄化、軽量化される傾向にあり、これに伴って、光ピックアップ装置１０も小型化、軽薄化、軽量化される傾向にある。
【０１２９】
光ピックアップ装置１０を構成するハウジング３０の第一隔壁５１と、ハウジング３０の第二隔壁５２とを繋ぎ、ハウジング３０などから生じる振動を低減化させる連結部６０が、ハウジング３０に設けられていれば、小型化、軽薄化、軽量化された光ピックアップ装置１０のハウジング３０の強度低下を防ぐことが可能となる。従って、ハウジング３０等から生じる共振などの振動を低減化させたラップトップ型コンピュータもしくはノートブック型コンピュータ用の小型軽薄化ピックアップ装置１０を、光ディスク装置の組立メーカや、光ディスク装置の使用者等に提供することができる。
【０１３０】
上記光ピックアップ装置１０は、例えば「ＣＤ−ＲＯＭ」，「ＤＶＤ−ＲＯＭ」などに対応したデータ読出し専用の光ディスク装置に装備可能とされる。また、上記光ディスク装置用チルト調整回路は、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ−ＤＶＤ」，「Blu ray Disc」などの書込み／消去や書換え可能なタイプの光ディスクに対応した光ディスク装置に装備可能とされる。
【０１３１】
また、上記光ピックアップ装置１０を備えるディスク装置は、例えば、ノート型ＰＣや、ラップトップ型ＰＣや、デスクトップ型ＰＣなどのコンピュータや、ＣＤプレーヤなど
の音響機器や、ＤＶＤプレーヤなどの音響／映像機器などに装備可能なものとされる。また、上記光ディスク装置は、ＣＤ系光ディスクや、ＤＶＤ系光ディスク等の複数のメディアに対応可能なものとされる。本発明のものは、図示されたものに限定されるものではない。本発明のものは、その要旨を逸脱しない範囲において、種々変更可能なものとされる。
【図面の簡単な説明】
【０１３２】
【図１】本発明に係るピックアップ装置の一実施の形態を示す分解斜視図である。
【図２】ハウジングにレンズが取り付けられた状態を示す斜視図である。
【図３】従来のピックアップ装置の一形態を示す斜視図である。
【符号の説明】
【０１３３】
１０    光ピックアップ装置（ピックアップ装置）
２０    コリメータレンズ（レンズ）
２１    第一側部
２２    第二側部
２３    第一切欠き部（切欠き部）
２３ａ  フラット部（平面部）
２３ｃ  レンズ厚さ方向略中央部（中央部）
２４    第二切欠き部（切欠き部）
２５ａ，２５ｂ  レンズ曲面部（曲面部）
２６ａ，２６ｂ  第一環状平面部（平面部）
２７ａ，２７ｂ  第二環状平面部（平面部）
２９ａ，２９ｂ  周縁部
３０    ハウジング
３１    基壁
３２    周壁
３５    レンズ取付部
４１    第一支持部
４１ａ，４２ａ  傾斜平面部（傾斜面部）
４２    第二支持部
５１    第一隔壁
５２    第二隔壁
６０    連結部
６０ｃ  中央部
６３    接着部（突出部）
６３ａ  先端面部
７１，７２  突出部（位置決め部）
７１ｂ，７２ｂ  基準面
８０    アクチュエータ装着部
８１，８２  支持部
９１，９２，９３  接着剤
【図１】
2006302334.tif 000003
【図２】
2006302334.tif 000004
【図３】
2006302334.tif 000005